(57)【要約】【課題】従来のイカ角投入器は、イカ角と釣り糸を絡ませ易いことや、イカ釣りセットの錘を遠投せざるを得ないこと等の課題があった。【解決手段】複数のイカ角を整列配置するベース基板上に、隔壁と、上面板とイカ角軸端ストッパーとで構成したイカ角収納部を構成し、上面板には隣り合う隔壁間の中央部に位置する部位でイカ角が収納される軸方向にスリットを形成し、当該スリットにイカ角軸に結接したハリスを導入して引き入れることで、前記イカ角収納部にイカ角を収納するとともに、前記ハリスに結接した釣り糸を、摩擦力で保持する釣り糸摩擦力保持器を構成することにより、釣り糸とイカ角の絡みを防止でき、且つ、イカ角を遠投する必要の無いイカ角投入器を提供する。【選択図】  図１
2013158280.tif 000002
【特許請求の範囲】
【請求項１】
イカを引掛ける針であるカンナと、前記カンナを固着したイカ角軸から成るイカ角の前
記カンナ側を投入する方向に向けて前記イカ角を複数個整列配置するベース基板を設け、
前記複数個整列配置したイカ角間にベース基板に垂直に隔壁を設け、前記隔壁の下端部を
前記ベース基板に固着し、前記隔壁の上端部には前記ベース基板の面に平行となる上面板
を固着し、前記上面板のセンター、すなわち、前記固着した隣り合う隔壁の上端部間の中間位置には、前記イカ角のカンナを固着した反対側の軸端に結節されたハリスを導入するスリットを形成し、前記ハリスを前記上面板のスリットの先端部からスリット内に導入して引き込み、前記イカ角を前記ベース基板上に収納すると共に、前記収納したイカ角の軸端を受け止めるイカ角軸端ストッパーを前記上面板と前記ベース基板との間に固着して配置し、当該イカ角軸端ストッパーの位置を、前記イカ角の軸端が前記イカ角軸端ストッパーに接触した時、少なくとも前記カンナが前記ベース基板の端縁部からオーバーハングする位置に配置するとともに、前記隔壁と前記上面板の前記イカ角軸端ストッパーからの前記スリット方向への長さが、前記イカ角の長さよりも長く形成して、前記隔壁と前記上面板、イカ角軸端ストッパーに囲まれたイカ角毎のイカ角収納部を構成したことを特徴とするイカ角投入器。
【請求項２】
請求項１記載のイカ角投入器において、各々の前記イカ角収納部内の前記ベース基板上であって前記隔壁間に、前記上面板の下面とベース基板との間でイカ角軸が通過可能な空隙を有するようにベース基板からの高さに形成したイカ角軸受け台を前記ベース基板に固着し形成したことを特徴とするイカ角投入器。
【請求項３】
請求項１、または請求項２のいづれか記載のイカ角投入器において、前記ハリスが前記スリットから抜き出た位置、すなわち、前記イカ角軸端ストッパーのイカ角軸端が接する反対側の後方に、前記ハリスを挟み込むように構成した弾性体と非弾性体間と、または弾性体同士間にハリスを挿入することによって、ハリスに摩擦保持力を与えるように形成したハリス摩擦力保持部を、イカ角の数に対応して複数個設けたことを特徴とするイカ角投入器。
【請求項４】
請求項１から請求項３のいづれか一項に記載のイカ角投入器において、前記イカ角のカンナが配置される側のベース基板の反対側の端縁部には、前記スリットから抜き出たハリスを結接した釣り糸であって、隣り合うハリスを結接した釣り糸を中間点で折り返し、前記釣り糸を挟み込むように構成した弾性体と非弾性体間、又は、弾性体間に前記中間点で折り返した釣り糸を挿入することによって、釣り糸に摩擦保持力を与えるように形成した釣り糸摩擦力保持部を、イカ角の数に対応して複数個設けたことを特徴とするイカ角投入器。
【請求項５】
請求項１から請求項４のいづれか一項に記載のイカ角投入器において、前記ベース基板を前記イカ角ストッパーの背部、すなわち、前記イカ角の軸端を受け止める側で無い側の前記イカ角ストッパーの壁面よりも後方で二つに折り曲げ自在に形成したことを特徴とするイカ角投入器
【発明の詳細な説明】
【技術分野】
【０００１】
本発明は複数のイカ角から成るイカ釣りセットのイカ角を、船上から海中に投入するイカ角投入器の発明に関し、特には遊漁船において、船上からイカ角の投入、投入後のイカ角を引き上げてからの取り込み、そして次の再投入という一連の動作をトラブルなくスムースに実施することを可能としたことを特徴とするイカ角投入器に関する。        
【背景技術】
【０００２】
イカ角の種類と構造を図２において説明する。図２のイカ角１および２はプラ角と称されるイカ角で、軸、６ａおよび６ｂがプラスチックでできており、その先端に５ａおよび５ｂ、５ｃのカンナと称される先端が尖っていてイカを引っ掛けるための複数（通常８本）の金属針が固着されている。イカ角１は、カンナが１組に対してイカ角２はカンナが２組固着されている。カンナが固着されている軸の反対側にはハリスと称されるナイロンの糸を結接するための穴、２０ａと２０ｂが形成されている。一方、イカ角３と４は一般的にスッテと称される種類のイカ角で前記のプラズノに比べて浮力があり、軸太で軸が短く形成されている。カンナはプラズノ同様に１組のものと２組のものとが市販されている。このようにイカを引っ掛けるカンナと、そのカンナを固着した軸とで形成されているものを、通称、イカ角と称している。
【０００３】
図３に、図２のイカ角１に示すようなプラスチック軸を用いた一般的なイカ釣りセッの一例を示す。図３に示すようにイカ釣りセットの先端には、錘２９を容易に脱着可能にしたフックと称される部材５２が釣り糸８ｇに結ばれている。当該フックの概略構造については図４の（ｂ）に記載する。釣り糸８ｇは結接点９ｇでハリスと称される８ｇなどの釣り糸よりも細いナイロン糸の７ｇに結ばれ、それを介してイカ角１ｇが結ばれている。以下、図３では、順次イカ角１ａとハリス７ａに至るまで、７本のイカ角で構成したイカ釣りセットを示している。ハリス７ａと結んだ釣り糸８ｈは、図４の（ａ）に示す通称サルカン、またはヨリモドシと称される部材５１に結ばれる。前記フックとより戻しを結合した状況を図４の（ｃ）に表記する。図３において結接点間、例えば９ａから９ｂの間の釣り糸の長さは、一般的なイカ釣りセットでは１．２ｍ前後であり、したがってサルカン５１と９ａ間、および９ｇ間とフック５２間を含めた全長は８ｍから１０ｍ前後になるような長いものである。
【０００４】
従来のイカ角投入器は、イカ釣りセットの１セットが図３に示すように５から７本のイ
カ角が釣り糸に結ばれているが、そのイカ角の数に対応できる本数の円筒状パイプを束ね
て船べり６０に立て掛けておき、イカ角の投入前に予めその円筒パイプの中にイカ角を挿入しておいて、前期イカ釣りセットの釣り糸の先端に結ばれている錘を海中に投げ入れることによって、円筒パイプに挿入していたイカ角が、円筒パイプの中から順次海中に沈みこんでいくという方式のイカ角投入器が殆どで一般的である。その実施の形態の概要を図５に示す。図５は、イカ角１ａから１ｇの７本のイカ角を収納するために、１０ａから１０ｇの７本のパイプから成る筒型パイプで構成した例である。一般的にイカ釣りセット１セットは５から７本のイカ角で構成されているので、市販されている筒型パイプによるイカ角投入器も５から７本組のものがほとんどである。図５に示すがごとく、イカ角以外のハリス７ａから７ｇや釣り糸８ａから８ｇは、拘束されることなくパイプの外で空中に浮遊している。図６には、筒型パイプ投入器の船上での配置の概要を示している。図６に示すがごとく筒型パイプは船べり６０に立てかけて使用する。その長さは１ｍ前後、筒の外径は５０ｍｍ前後が一般的である。尚、イカの釣り場は通常１００ｍ以上の深さがあり、２５０ｍ以上に及ぶ場合もよくある。したがって、近年の遊魚船でのイカ釣りにおいては、図７に示すように１６のロッドキーパと称されている釣竿保持具が船べり６０に固定され、そのロッドキーパ１６に竿１２を固定し、リール１１を電動リールとした構成が殆どである。
【先行技術文献】
【特許文献】
【０００５】
【特許文献１】特開２００８−１７７８６
【発明の概要】
【発明が解決しようとする課題】
【０００６】
イカ角投入器としては、殆ど、図５に示した筒型パイプ方式が使用されているが筒型パイプ方式においては、図５で明らかなように、イカ角１ａから１ｇは筒型パイプ１０ａから１０ｇに挿入される。イカの釣り場は、船の航行時間が１時間以上の沖合いで行うことが多く、そのような海上でのイカ釣りは、多くの場合強風下で行うことになる。また、海上も波静かなことは少なく、大きなうねりの波の中で船も大きくゆれる。このような状況下で、図６に示す船べり６０に立てかけた投入器から、錘２９を海中に投げ込むことによって、筒型パイプ１０ａから１０ｇに挿入しているイカ角１ａから１ｇを引き出し海中に順次沈下させることになるのであるが、この時、強風によって、空中に浮遊した状態の前記したハリス７ａから７ｇおよび、釣り糸８ａから８ｇに、筒型パイプから順次引き出されるイカ角のいずれかがひっかかることがよくあった。こうなると錘２９からイカ角１ａまでのイカ釣りセットをを引き上げ、からんだイカ角と釣り糸やハリスをなおして、筒型パイプ１０ａから１０ｇにイカ角１ａから１ｇを再セットしなおさなければならない不具合があった。また、前記した空中に浮遊状態にあるハリスや釣り糸が強風にあおられることによって、筒型パイプに挿入しているイカ角１ａから１ｇのいずれかが引き出され、このことによってイカ角とハリスや釣り糸が絡むこともよく経験するところであった。これが第一の課題である。
【０００７】
更に、図３に示すようにイカ釣りセットは段落０００３に記載したように、一般的に使用されるセットでは１０ｍ前後と長いため、錘２９を真下に投下するとイカ角が円筒パイプから抜けきらなくなることになる。このことは図６で容易に推定できる。この問題を避けるためには、図５において、少なくとも錘２９から最も離れた位置にあるイカ角１ａが、筒型パイプから抜けきるような距離まで錘２９を遠くに投げ込まなければならない不具合もあり、このことは更に、海上が荒れていて大きなうねりがある時などには特に、投入者が自らの正面ではなく誤って左方向、右方向に投げ込むことによって、隣の釣り人のイカ釣りセットとからみあう原因にもなっていた。この遠投せざるを得ないことが第二の課題である。
【０００８】
また従来のイカ角投入器においては、第三の課題としてイカ釣りセットを海中から引き上げた後、複数本から成るイカ角およびイカ角に結接しているハリスを介してイカ角を連結している釣り糸を固定し整理する手段を有していないため、特にイカがかかっていた時など、一旦、イカかかっているイカ角もイカがかっていないイカ角も船底に落とし置くことによって足元でイカ角と釣り糸を絡ませあうという課題があった。
【０００９】
以上述べたように従来のイカ角投入器では第一の課題として、イカ釣りセットを海中へ投入する前に、イカ角と釣り糸が強風にあおられて絡み合うことがあること、また投入時に錘を投入したことによって投入器の筒から抜き出たイカ角に風にあおられ空中に浮遊している釣り糸が絡み合うトラブルや、第二の課題として、最も一般的に使用されている円筒型パイプ式の投入器においては、構造上、錘を遠投する必要があり、その時に左右の釣り人のイカ釣りセットと交差するような方向に誤って投入することがあるなどして、お互いのイカ釣りセットを絡ませるという問題もあった。第三の課題として、イカ釣りセットを引き上げた時に釣り糸を固定し整理する手段を有していないために、イカが掛かっていないイカ角までも船底に落とし置くことによって足元でイカ角と釣り糸を絡ませるという問題があった。本発明はこのような従来のイカ角投入器が有していた課題を解決し、釣果の向上に寄与するイカ角投入器を提供することを目的とするものである。
【課題を解決するための手段】
【００１０】
請求項１について説明する。本発明では、イカ角を複数個整列配置するベース基板を設け、前記複数個整列配置したイカ角間にベース基板に垂直に隔壁を設け、当該隔壁の下端部を前記ベース基板に固着し、前記隔壁の上端部には前記ベース基板の面に平行となる上面板を固着し、前記上面板のセンター、すなわち、前記固着した隔壁の上端部間の中間位置には前記イカ角のカンナを固着した反対側の軸端に結節されたハリスを導入するスリットを形成し、前記ハリスを前記上面板のスリットの先端部からスリット内に導入して引き込み前記イカ角を前記ベース基板上に収納すると共に、前記上面板の先端側、すなわち前記イカ角が投入される方向の反対側の下部には、前記ベース基板との間に収納した当該イカ角のハリスが結ばれる側のイカ角の軸端を受け止めるイカ角軸端ストッパーを前記ベース基板に固着して配置し、当該イカ角軸端ストッパーの位置は、前記イカ角の軸端が前記イカ角軸端ストッパーに接触した時、少なくとも前記カンナが前記ベース基板の端縁部からオーバーハングするようになる位置に配置するとともに、前記隔壁と前記上面板の前記イカ角軸端ストッパーからの長さが、前記イカ角の長さよりも長く形成して前記ベース基板の端縁部からオーバーハングするように形成した。前記のベース基板、隔壁、上面板、スリット、イカ角軸端ストッパーからなるイカ角毎のイカ角収納部を構成したことによって、海中から引上げたイカ角は、イカ角の軸端に結接されているハリスを前記のスリットに挿入してイカ角軸端ストッパー側へ引き込めばそれぞれのイカ角収納部に収納整理されるので、釣り糸とイカ角の絡みを防止することができる。また、イカ角を海中に投入する場合でも、図３に示すイカ釣りセットにおいて、錘２３を海中に投入すると、イカ角収納部に収納整理されていたイカ角のそれぞれのハリスが順次スリットに沿って海側へ引き出されるだけで、それぞれ、ハリス７ａから７ｇに結ばれたイカ角１ａから１ｇおよび、前記ハリスにそれぞれ結接した８ｈ、８ａから８ｇに至る釣り糸は、前記錘２３の沈下に伴い海中に入っていくことになる。したがって、前記錘２３を遠投しなくても船べり近傍に投入することが可能になる。
【００１１】
請求項２について説明する。本発明では前記イカ角収納部内の前記ベース基板のスペースに、前記上面板の下面とベース基板との間で、イカ角軸が通過可能な空隙を有するようにベース基板からの高さに形成したイカ角軸受け台を前記イカ角収納部毎に固着した。前記軸受け台によって、海中から引上げたイカ角の軸端に結接されているハリスを前記のスリットに挿入してイカ角軸端ストッパー側へ引き込む時に、イカ角の軸が前記上面板方向に向かって跳ね上げられ、イカ角のカンナがベース基板の面よりも上面板側に高い位置に収納されるので、イカ角のカンナが隔壁の下端部から下方にはみ出して隣り合うイカ角間で絡み合う不具合を避けることが出来る。
【００１２】
請求項３について説明する。本発明では、イカ角の軸端に結節されたハリスを前記上面板のスリットの先端部からスリット内に導入して引き込み、イカ角の軸端がイカ角軸端ストッパーに接した後、前記ハリスが前記上面板間のスリットから抜き出た位置、すなわち、前記イカ角ストッパーのイカ角軸端が接する反対側の後方に、弾性体と非弾性体間、又は、弾性体間にハリスを挿入し挟みこむことによって、ハリスに摩擦保持力を与えるように形成したハリス摩擦力保持部をイカ角の数に対応して複数個設けた。前記ハリス摩擦力保持部でハリスに摩擦保持力を与えることによって、イカ角の軸方向へ動きを制約でき、釣り船の揺動や振動等に対して、イカ角の軸端がイカ角軸端ストッパーに接した保持状態を安定化できる。
【００１３】
請求項４について説明する。イカ角が配置されるベース基板のカンナが配置される側の反対側の端縁部には、請求項１記載のハリス導入板のスリットから抜き出たハリスを結接した釣り糸であって、隣り合うハリスを結接した釣り糸を中間点で折り返し、当該釣り糸を前記ベース基板面に垂直方向に弾性体と非弾性体間、または、弾性体間に挿入して挟み込むように挿入することによって、釣り糸に摩擦保持力を与えるように形成した釣り糸摩擦力保持部を、前記基板に配置されるイカ角の数に対応して複数個設けた。したがって、釣り糸は空中に浮遊することはなくなるので、釣り糸同士あるいは釣り糸とイカ角が絡み合ってトラブルになることは防止できる。
【００１４】
請求項５について説明する。請求項１から請求項４記載のイカ角投入器において、前記ベース基板を、前記イカ角ストッパーの前記イカ角の軸端を受け止める側で無い側の前記イカ角ストッパーの壁面後方で二つに折り曲げ自在に形成し、イカ角が配置される側をベース基板とし、前記イカ角ストッパーの壁面後方で二つに折り曲げた方をガイド基板として、本発明のイカ角投入器を船べりにセットした時、前記ガイド基板を船底方向に傾斜させてセットすることが可能になる。この結果、イカ角投入器の実質的な長さが縮小されて釣り人と船べりの間の空間が多少とも広くなることと、前記した中間点で折り返した釣り糸を釣り糸摩擦力保持部に挿入する場合に操作性が良くなる効果がある。
【発明の効果】
【００１５】
前述した構成によって複数個からなるイカ角は、各々、隔壁、上面板、ベース基板、およびイカ角ストッパーによって構成されるイカ角収納部によって仕切られた空間内に収納され、且つ、ハリス摩擦力保持部でハリスを半固定状態で保持ることによって、イカ角の軸方向へ動きを制約でき、イカ角の軸端がイカ角軸端ストッパーに接した保持状態を安定化できること、および、釣り糸摩擦力保持部に釣り糸を挿入することによって、釣り糸も安定的に保持できるので、船の振動や風によって前記複数個のイカ角同士及び、イカ角と釣り糸が強風などによって絡み合うというトラブルや、イカ釣りセットを引き上げた時にイカ角を固定し整理する手段を有していないために、イカが掛かっていないイカ角までも船底に落とし置くことによって、足元でイカ角と釣り糸を絡ませるという問題等を防止することができる。イカ角の投入も遠投することなく舷側６１近傍に錘を投入することを可能にした。したがって、従来の投入器のように遠投時の自らの投入ミスで隣の釣り人のイカ釣りセットに絡ませるという問題もなくすることができる。本発明によるイカ角投入器は上述した機能を有することによって、従来の投入器にあったような風波による船上でのイカ釣りセットの絡みや、引き上げたイカ釣りセットを船内で絡ませることを防止できこと、また、イカ角の長さが異なっても前記の隔壁、イカ角軸端ストッパーで構成されるイカ角収納部の長さの範囲でイカ角の長さや形状の違いにも対応できる等々によって、快適で、より釣果を向上させる効果を有するイカ角投入器を提供することができる。
【図面の簡単な説明】
【００１６】
【図１】本発明によるイカ角投入器
【図２】イカ角の種類
【図３】イカ釣りセットの標準的な構成図
【図４】サルカンとフックの形状図
【図５】従来の筒型パイプによるイカ角投入器
【図６】筒型パイプによるイカ角投入器の船上配置図
【図７】釣竿と電動リールをロッドキーパで船べりに固定した図
【図８】請求項１実施の構成例
【図９】請求項２実施の構成例
【図１０】請求項３実施の実施例
【図１１】請求項４実施の構成例Ａ
【図１２】請求項４実施の構成例Ｂ
【図１３】請求項５実施の構成例
【発明を実施するための形態】
【００１７】
以下、本発明を実現するための実施例について、図１および、図８から図１３について説明する。図１については段落００２４で説明する。尚、本発明に関わらない図２から図７については、段落０００２から段落０００４において記述した。
【００１８】
図８について説明する。図８に請求項１を実現するための実施の一例を示した。図８の（ａ）において、複数個のイカ角１ａから１ｇのカンナ５ａａから５ａｇ側をイカ角を投入する方向に向けて整列配置するベース基板１０４を設け、前記ベース基板１０４には前記整列配置した複数個のイカ角間毎に隔壁１０３ａから１０３ｈを垂直に固着し、更に前記ベース基板１０４には、前記イカ角のカンナの反対側であってハリス７ａから７ｇが結ばれるイカ角１ａから１ｇの軸端を接触させて受け止めるイカ角軸端ストッパー１０７を配置し、更に、前記イカ角軸端ストッパー１０７の上面からイカ角を投入する方向に向けてイカ角の長さよりも長く、前記７ａから７ｇのハリスが導入でき、且つ、イカ角の軸径よりも狭く構成したスリット１０６ａから１０６ｇを形成した上面板１０５ａから１０５ｈを形成し、当該上面板、および前記隔壁１０３ａから１０３ｈを前記ベース基板１０４よりもイカ角を投入する方向にオーバーハングするように形成し、且つ、イカ角軸端がイカ角軸端ストッパーに接触した時、それぞれのイカ角のカンナ５ａａから５ａｇもベース基板１０４よりもオーバーハングするように、イカ角軸端ストッパーのベース基板への固着位置を定めた。前述の構成によって、ベース基板１０４、イカ角軸端ストッパー０７、隔壁１０３、および上面板１０５によって構成し、複数のイカ角毎のイカ角収納部１０８ａから１０８ｇを形成したイカ角投入器を考案した。当該イカ角投入器に、イカ角１ａから１ｇをそれぞれのイカ角収納部１０８ａから１０８ｇにセットし、それぞれの前記スリット１０５ａから１０５ｈからイカ角軸に結接されているハリス７ａから７ｇを引き出し、隣り合う前記ハリスを結接した釣り糸８ａから８ｆを中間位置近傍で折り返した状態において、釣り糸の終端８ｈに結ばれていている錘２３を海中に投入すれば、前記イカ角１ａから１ｇはそれぞれのイカ角収納部１０８ａおよび１０８ｇから順次脱し海中に沈下していく。この時、前述したようにイカ角先端のカンナ５ａａから５ａｇは前記ベース基板１０４よりも海側にオーバーハングしており、更に、前記ベース基板１０４も船べり６０よりもオーバーハングするように設定しているので、錘２３を従来のイカ角投入器にように遠投する必要は無く、船べり６０近傍への投入が可能になる。一方、海中からイカ角を引上げる場合、最初のイカ角１ｇが船べりまで引上げられた状態を図８の（ｃ）に示すが、この状態から更にイカ角１ｇのハリス１ｇに結接されている釣り糸８ｇを更に海側から船内方向に引き込めば、図８の（ｄ）に示すようにイカ角１ｇのイカ角軸は前記ベース基板の先端部１０２に接触して、前記上面板１０５ｈ側方向へ跳ね上げられるように動作する。更に、この状態から図８の（ｅ）に示すようにイカ角１ｇの軸端が前記ストッパー１０７の接触するまで釣り糸８ｇを更に海側から船内方向に引き込めば、イカ角１ｇはイカ角収納部１０８ｇ内の前記イカ角軸端ストッパー１０７と前記ベース基板１０４の先端１０２とに接した状態で保持される。イカ角を順次対応するイカ角収納部１０８のスリットからそれぞれのイカ角のハリスを、イカ角軸端ストッパーにイカ角の軸端が接触するまで引き込むことによって、図８の（ａ）に示したようにイカ角１ａから１ｇを、各々のイカ角収納部１０８ａから１０８ｇに収納することができる。
【００１９】
図９では請求項２の実施の一例を示した。図９について説明する。前記イカ角収納部１０８ａから１０８ｇ内の前記ベース基板１０４と、１０５ａから１０５ｈの前記上面板の下面との間に、イカ角１ａから１ｇのそれぞれの軸が通過可能な空隙を有するようにイカ角軸受け台１０１ａから１０１ｇを固着した。その構成例を図９の（ａ）、（ｂ）、および（ｃ）に示した。図９の（ｄ）には前記軸受け台を形成しない場合のイカ角１ｇの収納状態を表記した。イカ角軸受け台が形成されていない図９の（ｄ）で明らかなように、海中から引上げたイカ角１ｇのイカ角の軸端に結接されているハリス７ｇを前記のスリット１０６ｇに挿入してイカ角軸端ストッパー側へ引き込んだ時に、イカ角１ｇのカンナ５ａｇは前記隔壁１０３ｈの下端からはみ出ており、隣り合うイカ角のカンナと干渉しトラブルになる可能性がある。イカ角軸受け台１０１ａから１０１ｇはこれを避けるために設置したものであって、図９の（ｃ）で明らかなように、イカ角１ｇの軸端がイカ角軸端ストッパー１０７に接した時に、イカ角１ｇの軸はイカ角軸受け台１０１ｇによって上面板１０５ｈ方向へ引上げられ、イカ角１ｇのカンナ５ａｇはイカ角収納部１０８ｇ内に収納されることになり、隣のイカ角１ｆのカンナ５ａｆとの干渉を避けることができる。
【００２０】
図１０は請求項３記載のハリス摩擦力保持器の実施の一例を示した。図１０の（ａ）において、イカ角軸端ストッパー１０７の後方には、ハリス摩擦力保持器１３０を配置し、更にその後方にはハリス引上げバー保持台１３５ａと１３５ｂに保持されたハリス引き上げバー１３４を配置した。当該構成において、各々のイカ角軸端に結接されているハリスはイカ角がイカ角軸端ストッパー１０７にイカ角の軸端が接した後、１０６ａから１０６のスリットから抜き出てそれぞれ対応するハリス摩擦力保持部１３１ａから１３１ｇを経てハリス引上げバーに至る。この過程で前記ハリス摩擦力保持部に内蔵しているハリス摩擦力保持用弾性体でハリスを挟み込むように形成して摩擦保持力を与えるように構成した。その実施の一例を、図１０（ａ）のハリス摩擦力保持部１３１ｇの部位、すなわちＡ部の拡大図（ｃ）（ｄ）（ｅ）について説明する。図１０の（ｄ）は図１０のハリス摩擦力保持部１３１ｇの拡大部Ａの平面図を示し、図１０（ｃ）は図１０の（ｄ）の側面図を、同図（ｅ）は同図（ｄ）のＺ−Ｚ断面図を示す。図１０（ｄ）において、ハリス摩擦保持部１３１ｇには弾性体配置溝１３６ｇが形成され、当該溝には挿入した前記ハリス７ｇを挟み込むように弾性体１３２ｇａと１３２ｇｂが配置されている。当該弾性体間にハリスを挿入すると図１０（ｃ）に示すように弾性体が変形し、その変形量に対応して弾性力が発生し、前記ハリスとと弾性体との摩擦係数と前記弾性力とによってハリスに摩擦保持力が生じる。この摩擦保持力の範囲でイカ角はその軸方向への移動が拘束され保持される。したがって、釣り船の揺動に伴う衝撃に対しても、前記したようにイカ角の軸方向に対しては一定の保持力で対応することができる。更に各々の前記ハリスが前記ハリス摩擦力保持部から抜き出た部位の近傍であって、前記ベース基板の平面に対して前記ハリスが前記スリットから抜き出る部位よりも高い位置に、各々のハリスに対応できるようにハリス引上げバー保持台１３５ａと１３５ｂに保持されたハリス引き上げバー１３４を形成し、イカ角が投入されるときにハリスと釣り糸が結接されたことによる結接点９ａから９ｇの結接コブが前記ハリス摩擦力保持部の弾性体間、および、前記スリットに引っ掛らないように構成した。
【００２１】
図１１について説明する。図１１は請求項４記載の釣り糸摩擦力保持器１２１の実施の形態の一例を示す。図１１において、（ａ）は平面図、（ｂ）は正面図を示し、（ｄ）は図１１の（ａ）のＡ部、すなわち釣り糸摩擦保持部１２２ｆの拡大図を示す。そして、（ｃ）は前記（ｄ）の側面図を、（ｅ）は前記（ｄ）のＺ−Ｚ断面図を示す。図１１において、隣り合う上面板１０５（１０５ａから１０５ｈの総称）間のスリット１０６１０６ａから１０６ｇの総称）から引き出されたハリス７（７ａから７ｇの総称）を結接した釣り糸であって、隣り合うイカ角のハリスを結接した釣り糸の中間点近傍で折り返して二重になった釣り糸８（８ａから８ｇの総称）を、釣り糸摩擦力保持器１２１の釣り糸摩擦力保持部１２２（１２２ａから１２２ｆの総称）内に形成されている弾性体１２３（１２３ａａから１２３ｇｂの総称）の間に挿入することによって、前記弾性体間で摩擦力を生じせしめ、当該摩擦力が釣り糸８（８ａから８ｆの総称）の保持力になるように構成した。したがって、前記釣り糸８は、風や船の振動等の影響を受けなくすることを可能にし釣り糸が空中に浮遊することはなくなるので、釣り糸同士あるいは釣り糸とイカ角等とが絡み合ってトラブルになることは防止できる。前述した機能については図１１のＡ部の拡大図（ｄ）（ｃ）（ｅ）において明白である。図１１の（ｄ）において、釣り糸摩擦力保持器１２１の釣り糸摩擦力保持部の１２２ｆに釣り糸８ｆを挿入すると、図１１の（ｃ）で明らかなように前記釣り糸摩擦力保持部の１２２ｆ内に形成された弾性体１２３ｇａと、１２３ｇｂを変形させて前記弾性体の間に釣り糸８ｆが挿入されることになり、前記弾性体の変形に伴う釣り糸への圧縮力で摩擦力が発生することになる。尚、前記した弾性体の断面形状は円形であっても、板状を含めた角形であっても良い。また、前記弾性体の材質はゴムや樹脂系、発泡体、また、板バネなどの金属体であっても構わない。また、弾性体の変形に伴う釣り糸への圧縮力で摩擦力が発生することを述べたが、弾性体と金属や樹脂等の固体との間に釣り糸を挿入して摩擦力を発生させる構成としても構わない。
【００２２】
図１２について説明する。請求項４記載の釣り糸保持の方式について記載する。図１１においては、釣り糸の保持に弾性体を利用した釣り糸摩擦保持器１２１について記述した。また、図１０においても、ハリスの保持に弾性体を利用したハリス摩擦保持器１３０について記述した。図１２ではこれら摩擦力で釣り糸やハリスを保持する方式でなく、前記釣り糸やハリス単位に空隙を設けて、当該空隙内に前記釣り糸やハリスを挿入することによって、各々の前記釣り糸やハリスを個別に分離し整理する方式について記述する。図１２の（ａ）において、ベース基板１０４の端部には隣り合うイカ角のハリスを結接した釣り糸の中間点近傍で折り返して二重になった釣り糸８（８ａから８ｇの総称）を、釣り糸空隙保持器１３８の釣り糸空隙保持部１３９（１３９ａから１３９ｆの総称）内に収納し、個別に分離、整理するように構成した。前記１３８の釣り糸空隙保持部１３９ｆの部分を拡大した平面図を図１２の（ｂ）に、当該図の側面図を同図（ｃ）と（ｄ）に、図１２の（ｂ）におけるＺ−Ｚ断面を同図（ｅ）に示す。図１２の（ｂ）の側面図（ｃ）において、釣り糸収納空隙１４５ｆの上面には釣り糸を挿入するためのスリットを形成する空隙部上板１４０ｆと上板１４０ｇがベース基板１０４に垂直に形成された壁１４３ｆと１４３ｇにそれぞれ固着され、前記空隙部上板１４０ｆと上板１４０ｇの間には空隙部スリット１４６ｆが形成され、当該スリットを塞ぐように空隙部弾性体１４２ｆが前記上板１４０ａと上板１４０ｂの下部に形成している。そして前記空隙部弾性体１４２ｆの片側は前記壁１４３ｇの上部に固着され、一方、空隙部弾性体１４２ｆの片側は釣り糸収納部空隙１４５ｆの内部であってベース基板１０４方向へ変形自在に設置されている。前述の構成において、釣り糸８ｆａを空隙部スリット１４６ｆから空隙部弾性体１４２ｆを釣り糸収納部空隙１４５ｆに押し込めば、図１２の（ｃ）に示すように空隙弾性体１４２ｆが変形し、前記釣り糸８ｆａは釣り糸収納部空隙１４５内に収納される。同様にして釣り糸８ｆｂを収納した状況を図１０の（ｄ）に示した。釣り糸８ｆａ、８ｆｂを収納後は前記空隙弾性体１４２は弾性力によって空隙部スリット１４６を塞ぐように復元する。前述の構成によって図１０の（ａ）に表記した釣り糸８ａから８ｆは、それぞれ釣り糸空隙保持部１３９ａから１３９ｆ個別に収納し整理することが出来る。但し、前記した図１０の（ａ）は釣り糸を個別に収納する例であるが、８ａから８ｆの釣り糸をまとめて一つの釣り糸空隙保持部１３９に収納するように構成しても構わない。
【００２３】
図１３について説明する。図１３に請求項５を実現するための実施の形態の一例を示した。前記した図１１および図１２では、図８、図９に表記したイカ角収納空間部を構成する隔壁、上面板、イカ角軸端ストッパー等、及び釣り糸摩擦力保持器を含めてベース基板１０４上に配置した例を示した。図１３においては、イカ角軸端ストッパー１０７と釣り糸摩擦保持器１２１の間で前記ベース基板１０４を分割し、前記イカ角軸端ストッパー１０７が配置されている方をベース基板とし、一方の釣り糸摩擦保持器１２１を配置している方をガイド基板１２０とした。そして、前記ベース基板とガイド基板は、記載していない蝶番等で折り曲げ自在に形成した。尚、ベース基板１０４を船べり６０に設置して固定するための固定具４７ａと４７ｂのスペースを確保するため、その分、前記ガイド基板１２０はベース基板１０４よりも寸法を短くしている。図１３の（ｂ）に表記したように、ベース基板側を船べり６０上に載置し、固定具４７ａと４７ｂによって前記ベース基板１０４と船べり６０とを一体的に固定するようにした。前記固定具４７ａ、４７ｂにはそれぞれ斜傾材６８ａ、６８ｂを固着しており、前記斜傾材は角度αを形成している。前述した、折り曲げ自在に分割したガイド基板１２０を前記斜傾材６８ａ、６８ｂ上に載置して、前記ガイド基板に固着した弾性体固定ネジ７２ａ、７２ｂに固着したガイド基板保持弾性体７１ａ、７１ｂをそれぞれ、前記斜傾材に固着したフック５２ａと５２ｂに引掛ければ、前記ガイド基板保持弾性体の弾性力でガイド基板１２０は前記斜傾材６８ａと６８ｂ結合されたことになり、釣り船の揺動に対応することができる。
【００２４】
図１について説明する。図１の（ａ）において、複数個のイカ角１ａから１ｇのカンナ５ａａから５ａｇ側をイカ角を投入する方向に向けて整列配置するベース基板１０４を設け、前記ベース基板１０４には前記整列配置した複数個のイカ角間毎に隔壁１０３ａから１０３ｈを垂直に固着し、更に前記ベース基板１０４には、前記イカ角のカンナの反対側であってハリス７ａから７ｇが結ばれるイカ角１ａから１ｇの軸端を接触させて受け止めるイカ角軸端ストッパー１０７を配置し、更に、前記イカ角軸端ストッパー１０７の上面からイカ角を投入する方向に向けてイカ角の長さよりも長く、前記７ａから７ｇのハリスが導入でき、且つ、イカ角の軸径よりも狭く構成したスリット１０６ａから１０６ｇを形成した上面板１０５ａから１０５ｈを形成し、当該上面板、および前記隔壁１０３ａから１０３ｈを前記ベース基板１０４よりもイカ角を投入する方向にオーバーハングするように形成し、且つ、イカ角軸端がイカ角軸端ストッパーに接触した時、それぞれのイカ角のカンナ５ａもベース基板１０４よりもオーバーハングするように、イカ角軸端ストッパーのベース基板への固着位置を定めた。前述の構成によって、ベース基板１０４、イカ角軸端ストッパー１０７、隔壁１０３、および上面板１０５から成る、複数のイカ角毎のイカ角収納部１０８ａから１０８ｇを形成したイカ角投入器を考案した。そして、前記各々のイカ角収納部には、前記イカ角１ａから１ｇのそれぞれのイカ角の軸が前記イカ角ストッパー１０７側へ引き込まれる時に、上面板１０５の下面を通過可能に設定した空隙を有するように、ベース基板１０４からの高さを設定したイカ角軸受け台１０１ａから１０１ｇをベース基板上に固着した。図１の（ｂ）には、海中から引上げたイカ角１ｇのイカ角の軸端に結接されているハリス７ｇを、前記のスリット１０６ｇに挿入してイカ角軸端ストッパー１０７側へ引き込み、イカ角１ｇの軸端がイカ角軸端ストッパー１０７に接した時に、イカ角のカンナが隔壁の下端からはみ出し隣り合うイカ角のカンナ同士が干渉することがないように、イカ角１ｇの軸がイカ角軸受け台１０１ｇによって上面板１０５ｈ方向へ引上げられ、前記イカ角収納部１０１ｇに収納されるように構成した。次に、前記隣り合う上面板間のスリット１０６ａから１０６ｇの各々のスリットから抜き出たハリス７ａから７ｇは、ハリスと釣り糸の結接点９ａから９ｇで釣り糸と結ばれ、隣り合うイカ角のハリス、例えばイカ角１ａのハリス７ａと、イカ角１ｂのハリス７ｂとを結んだ釣り糸を、その長さの中間点近傍で折り返した釣り糸８ａから８ｆを釣り糸摩擦保持器１２１のスリット１２２ａから１２２ｇに挿入することによって当該スリット内の弾性体によって、前記釣り糸８ａから８ｆには摩擦力が生じて半固定状態で保持されることになり、釣り糸同士や釣り糸とイカ角との絡み合いによるトラブルは防止できる。次に本発明では、ベース基板１０４をイカ角軸端ストッパー１０７のイカ角の軸端を受け止める側の反対側の後方で折り曲げ自在に形成し、前記イカ角を配置する方をベース基板１０４、他方をガイド基板１２０として記載していない蝶番等で結合するように構成し、図１の（ｂ）に表記したように、ベース基板１０４側を船べり６０上に載置し、固定具４７ａと４７ｂによって前記ベース基板１０４と船べり６０とを一体的に固定するように構成した。前記固定具４７ａ、４７ｂにはそれぞれ斜傾材６８ａ、６８ｂを固着しており、前記斜傾材は角度αを形成している。前述した、折り曲げ自在に分割したガイド基板１２０を前記斜傾材６８ａ、６８ｂ上に載置して、前記ガイド基板に固着した弾性体固定ネジ７２ａ、７２ｂに固着したガイド基板保持弾性体７１ａ、７１ｂをそれぞれ、前記斜傾材に固着したフック５２ａと５２ｂに引掛ければ、前記ガイド基板保持弾性体の弾性力でガイド基板１２０は前記斜傾材６８ａと６８ｂ結合されたことになり、前記ガイド基板が釣り船の揺動に対応することができると共に、前記ベース基板と前記ガイド基板を合わせた実質的な長さが縮小されて釣り人と船べり６０の間の空間が多少とも広くなることと、前記した中間点で折り返した釣り糸を釣り糸摩擦力保持部１２１の各々の釣り糸摩擦力保持部の１２２ａから１２２ｆに挿入する場合に操作性が良くなる効果がある。また、図１の実施例では各々のイカ角のハリス７ａから７ｇが上面板間の各々のスリット１０６ａおよび１０６ｇから抜き出た後方に、ハリス引上げバー１３４を配置し、錘２３を海中に投入して、釣り糸８ａから８ｆが順次海中に引き込まれるときに、前記ハリスと前記釣り糸の結接点９ａから９ｇの結接コブが前記スリットに引っ掛るトラブルを防止するために、前記スリットからハリスが抜き出る位置よりも高い位置に、ハリス引上げバー１３４を形成した。尚、図１０に記載し図１には記載していないハリス摩擦保持器１３０を図１０に表記したように形成すれば、釣り船の揺動等に対してイカ角をより安定して保持することが出来る。
【００２５】
釣り糸とイカ角との絡みや釣り糸同士の絡みを防ぐために、図１１の釣り糸摩擦力保持器１２１では弾性体による摩擦力を利用した釣り糸摩擦力保持部１２２の実施例を記載し、図１２の釣り糸空隙保持器１３８では釣り糸空隙保持部１３９内の釣り糸毎に形成した空間内に収納整理する実施例を記載した。また、図１０ではハリスを保持する方法を、弾性体による摩擦力を利用したハリス摩擦力保持器１３０のハリス摩擦力保持部１３１の実施例で記載した。これら釣り糸やハリスの保持方法については、例えば図１０のハリスの保持方法の実施例は摩擦力による方式で記載したが、これを図１２の釣り糸空隙保持部１３９で示した空隙内に収納する方式で構成しても良いし、逆に図１２の釣り糸空隙保持部１３９で示した空隙内に収納する方式を図１０のハリス摩擦力保持部１３１や図１１の釣り糸摩擦力保持部１２２で示したような弾性体を利用した保持方式で構成しても構わない。
【符号の説明】
【００２６】
１  プラスチック製イカ角
２  プラスチック製イカ角
３  スッテ
４  スッテ
５  カンナ
６  イカ角軸
７  ハリス
８  釣り糸
９  結接点
１１  電動リール
１２  釣竿
２３  錘
４７  固定具
５１  サルカン
５２  フック
６０  船べり
６１  舷側
６６  ハンドル
６７  ネジ
６８  斜傾材
６９  斜傾材の斜面
７０  斜傾材のフック
７１  ガイド基板保持弾性体
７２  弾性体固定ネジ
７３  締めあげ金具
１０１  イカ角軸受け台
１０２  イカ角軸接触点
１０３  隔壁
１０４  ベース基板
１０５  上面板
１０６  スリット
１０７  イカ角軸端ストッパー
１０８  イカ角収納部
１２０  ガイド基板
１２１  釣り糸摩擦力保持器
１２２  釣り糸摩擦力保持部
１３０  ハリス摩擦力保持器
１３１  ハリス摩擦力保持部
１３２  ハリス摩擦力保持用弾性体ａ
１３３  ハリス摩擦力保持用弾性体ｂ
１３４  ハリス引き上げバー
１３５  ハリス引上げバー保持台
１３６  弾性体配置溝
１３８  釣り糸空隙保持器
１３９  釣り糸空隙保持部
１４０  空隙部上板
１４２  空隙部弾性体
１４３  空隙壁
１４５  釣り糸収納空隙
１４６  空隙部スリット
【図１】
2013158280.tif 000003
【図２】
2013158280.tif 000004
【図３】
2013158280.tif 000005
【図４】
2013158280.tif 000006
【図５】
2013158280.tif 000007
【図６】
2013158280.tif 000008
【図７】
2013158280.tif 000009
【図８】
2013158280.tif 000010
【図９】
2013158280.tif 000011
【図１０】
2013158280.tif 000012
【図１１】
2013158280.tif 000013
【図１２】
2013158280.tif 000014
【図１３】
2013158280.tif 000015